(57)【特許請求の範囲】
【請求項１】
容器蓋、容器本体、及び前記容器蓋に着脱可能な口ゴムを備えたウエットティッシュ容器であって、
前記口ゴムが、
ウエットティッシュの取出口と、
合成樹脂からなり、少なくとも先端を、前記取出口に挿通可能な押込部とした、前記取出口に前記ウエットティッシュの一部を通すためのウエットティッシュ詰替治具と、
前記ウエットティッシュ詰替治具を前記口ゴムに接続するための接合部と、
をさらに備えることを特徴とするウエットティッシュ容器。
【請求項２】
前記ウエットティッシュ詰替治具が、合成樹脂からなる板状体、棒状体又は錐体若しくはこれらの組合せである請求項１に記載のウエットティッシュ容器。
【請求項３】
前記取出口に挿通される前記押込部の先端形状を曲面状、平面状又はエッジ状のいずれかとした請求項１又は２に記載のウエットティッシュ容器。
【請求項４】
少なくとも先端部に略球面状、略楕円面状又は略テーパー面状の前記押込部を設けた請求項１〜３のいずれか１項に記載のウエットティッシュ容器。
【請求項５】
平面視した前記板状体の一部又は全部の輪郭を曲線状にして前記押込部を設けた請求項１〜４のいずれか１項に記載のウエットティッシュ容器。
【請求項６】
前記ウエットティッシュ詰替治具の途中に鍔部を突出させた請求項１〜５のいずれか１項に記載のウエットティッシュ容器。
【請求項７】
前記接合部が合成樹脂からなるベルトであり、前記ベルトの一端側を、前記容器蓋の裏側における前記取出口の近傍又は前記口ゴムに接続するとともに、前記ベルトの一面に、前記ウエットティッシュ詰替治具を突設した請求項１〜６のいずれか１項に記載のウエットティッシュ容器。
【請求項８】
前記取出口に対向させることができる前記ベルトの一面に前記ウエットティッシュ詰替治具を突設し、前記ベルトの前記口ゴムとの接続部を中心に前記ウエットティッシュ詰替治具を回動させて、当該ウエットティッシュ詰替治具を前記取出口に挿通可能とした請求項７に記載のウエットティッシュ容器。
【請求項９】
前記ベルトの前記ウエットティッシュ詰替治具よりも他端側に、前記ベルトの余剰部分を設け、当該余剰部分を、前記ウエットティッシュ詰替治具を前記取出口に挿通させるときのつまみ部とした請求項７又は８に記載のウエットティッシュ容器。
【請求項１０】
前記取出口を、中心から１２０°間隔で放射状に延びる３本のスリットからなる略Ｙ字形とした請求項１〜９いずれか１項に記載のウエットティッシュ容器。
【請求項１１】
前記取出口の中心に、各スリットの一端に連通する孔を穿設した請求項１０に記載のウエットティッシュ容器。
【請求項１２】
前記取出口の各スリットの長さを１〜５ｍｍとし、前記孔の直径を１〜５ｍｍとした請求項１１に記載のウエットティッシュ容器。
【請求項１３】
請求項１〜１２のいずれか１項に記載したウエットティッシュ容器の口ゴム。
【発明の詳細な説明】
【技術分野】
【０００１】
本発明は、ウエットティッシュ詰替治具及びウエットティッシュ容器に関し、特に、ウエットティッシュの取出口を痛めることなく、極めて安全、容易かつ衛生的にウエットティッシュの詰替作業を行うことができるウエットティッシュ詰替治具及びウエットティッシュ容器に関する。
【背景技術】
【０００２】
従来から複数枚のウエットティッシュを、一枚ずつ分離可能に容器内に収納したウエットティッシュ製品が普及している。従来のウエットティッシュ容器は、容器本体と容器蓋とからなっており、容器蓋にはウエットティッシュの取出口が設けられていた。
【０００３】
ウエットティッシュの取出口は、一枚のウエットティッシュの分離と、ウエットティッシュの水切りとを良好にするため、その大きさや形状が工夫されていた。従来の取出口として、例えば、小孔のみを設けたもの、小孔に一本のスリットを交差させたもの、又は小孔に二本のスリットを十字状に交差させたものなどがあった。
【０００４】
また、従来のウエットティッシュ容器は、別売の詰替用ウエットティッシュを顧客が自ら詰め替えることで再利用可能となっていた。詰替用ウエットティッシュは、複数枚のウエットティッシュの連続体をロール状に巻き、又は交互に折り返した状態となっており、ウエットティッシュ容器に補充する際には、まず、詰替用ウエットティッシュを容器本体内に収納し、次いで、ウエットティッシュの末端（最初の一枚）を引き出して、容器蓋の取出口に指や爪あるいは棒状のもの（例えば、爪楊枝、ペン先、クリップ、プラス又はマイナスドライバ等）を用いて押し込んでセットしていた。
【先行技術文献】
【特許文献】
【０００５】
【特許文献１】特開平７−２０６０５５号公報
【特許文献２】特開２００８−７４４５７号公報
【特許文献３】特開２００９−２８６４２７号公報
【発明の概要】
【発明が解決しようとする課題】
【０００６】
ところが、上述した従来のウエットティッシュ容器では、詰替用ウエットティッシュの末端を小さな取出口に押し込む作業にある程度の困難性が伴い、スムーズに行えない場合にストレスを感じることがあった。特に、詰替用ウエットティッシュの末端を、指や爪で取出口に押し込むことは、子供やお年寄りにとって必ずしも容易ではなかった。
【０００７】
一方、詰替用ウエットティッシュの末端を、爪楊枝、ペン先、クリップ、プラス又はマイナスドライバ等の道具を用いて取出口に押し込む場合は、詰替作業の困難性が大幅に軽減されるが、取出口が小さいほど先の細い道具を用いなければならず、押し込む際の力加減を誤って手を怪我したり、取出口を痛めてしまったりするおそれがある。先の太い道具を用いれば怪我の心配はなくなるが、詰替用ウエットティッシュの末端を小さな取出口に押し込む作業が難しくなる。
【０００８】
そこで、ウエットティッシュを押し込みやすくするために、取出口を大きくしたり、スリットで開きやすくしたりすることが考えられるが、このような構成とした場合は、ウエットティッシュを引き出したときに一枚ずつ分離しにくくなり、また、引き出したウエットティッシュの水切りが不十分になってしまい、水滴の飛散や滴下が生じるという問題がある。さらに、図９（ｄ）に示すように、ウエットティッシュの挿通を容易にするため、取出口をウエットティッシュ容器から着脱自在とし、スリットで開閉自在とした構成のものもあったが、詰替作業をするときに、取出口を着脱する手間がかかるともに、取出口を紛失してしまうおそれがあった。
【０００９】
これに加え、従来は、爪楊枝、ペン先、クリップ、プラス又はマイナスドライバ等の道具を流用していたので、詰替用ウエットティッシュを補充する際には、あらかじめこれらの道具を準備しなければならないという煩雑さがあった。
【００１０】
また、従来のウエットティッシュ容器は、小孔、一文字形、十文字形、星形といったウエットティッシュの取出口を設けた構成となっていたが、これら小孔、一文字形、十文字形、星形の取出口は、いずれもウエットティッシュの保持力が最適であるとはいえなかった。このため、ウエットティッシュを一枚引き抜いた後、取出口から出た次のウエットティッシュの末端の長さが、短すぎたり、長すぎたりする場合があり、さらに、保持力が強すぎる場合には、次のウエットティッシュが取出口に保持されず、容器本体内に脱落してしまうことがあり、逆に、保持力が弱すぎる場合には、引き抜いたウエットティッシュと次のウエットティッシュが繋がったままになったりすることもあった。
【００１１】
本発明は上記問題点に鑑みてなされたものであり、ウエットティッシュの取出口を痛めることなく、極めて安全、容易かつ衛生的にウエットティッシュの詰替作業を行うことができるウエットティッシュ詰替治具及びウエットティッシュ容器の提供を目的とする。
【００１２】
また、本発明は上記問題点に鑑みてなされたものであり、ウエットティッシュの最適な保持力を発揮することができ、ウエットティッシュをより引き出しやすい取出口を備えた口ゴム、及びこの口ゴムを備えたウエットティッシュ容器の提供を目的とする。
【課題を解決するための手段】
【００１３】
上記目的を達成するために、本発明のウエットティッシュ詰替治具は、ウエットティッシュ容器の取出口にウエットティッシュの一部を通すためのウエットティッシュ詰替治具であって、合成樹脂からなり、少なくとも先端を、前記取出口に挿通可能な押込部とした構成となっている。好ましくは、前記ウエットティッシュ詰替治具を、合成樹脂からなる板状体、棒状体又は錐体若しくはこれらの組合せとする。
【００１４】
上記構成によれば、本ウエットティッシュ詰替治具の材料を合成樹脂としたことにより、押込部が取出口に挿通可能な細さ又は薄さであったとしても、該押込部が撓んで手を怪我する心配はない。本ウエットティッシュ詰替治具を用いて、詰替用ウエットティッシュ末端を取出口にスムーズに押し込むことができ、極めて安全、容易かつ衛生的に詰替作業を行うことが可能となる。
【００１５】
好ましくは、上述した本発明のウエットティッシュ詰替治具において、前記取出口に挿通される前記押込部の先端形状を曲面状、平面状又はエッジ状のいずれかとした構成とする。
【００１６】
上記構成によれば、取出口の形態、例えば、小孔のみを設けたもの、小孔に一本のスリットを交差させたもの、又は小孔に二本のスリットを十字状に交差させたもの等の形態に応じて、押込部の先端形状を曲面状、平面状又はエッジ状とすることにより、詰替用ウエットティッシュの末端を取出口にスムーズに押し込むことが可能となる。
【００１７】
ここで、「曲面状」には、三次元的及び二次元的な曲面形状が含まれ、例えば、球面、楕円面、テーパー面等の三次元的な曲面形状、板状体の一部又は全部の輪郭を曲線状にした二次元的な曲面形状が含まれる。また、「平面状」には、例えば、棒状体又は板状体の先端を水平にカットした場合の肉厚の端面、又は棒状体又は板状体の肉厚よりも広い面積の平らな面が含まれる。さらに、「エッジ状」には、例えば、棒状体又は板状体の先端を逆Ｖ字形又は楔形などにカットした場合の尖鋭な形状が含まれる。押込部を「エッジ状」とした場合は、尖った先端を取出口に挿入し易くなる。
【００１８】
好ましくは、上述した本発明のウエットティッシュ詰替治具において、少なくとも先端部に略球面状、略楕円面状又は略テーパー面状の前記押込部を設けた構成とする。
【００１９】
上記構成によれば、棒状体の先端に位置する押込部が、略球面状、略楕円面状又は略テーパー面状となっているので、例えば、取出口に押し込む力加減を誤って手に触れたとしても、手に怪我をする心配は一切なく、また、いずれの押込部も曲面状となっているので取出口を痛めることもない。
【００２０】
好ましくは、上述した本発明のウエットティッシュ詰替治具において、平面視した前記板状体の一部又は全部の輪郭を曲線状にして前記押込部を設けた構成とする。
【００２１】
上記構成によれば、板状体の曲線状の輪郭を用いて、詰替用ウエットティッシュの末端を取出口に容易に押し込むことができ、安全、容易かつ衛生的に詰替作業を行うことができる。また、板状体は合成樹脂からなるので、取出口を痛めることもない。
【００２２】
好ましくは、上述した本発明のウエットティッシュ詰替治具の途中に鍔部を突出させた構成とする。
【００２３】
上記構成によれば、鍔部を突出させることで、棒状体又は板状体のウエットティッシュ詰替治具を安定して把持することができるようになり、取出口に押し込むときの操作性が向上する。また、鍔部を、取出口を通過できない大きさとした場合は、鍔部が取出口に当接して挿通量が制限される。
【００２４】
上記目的を達成するために、本発明のウエットティッシュ容器は、上述したいずれかのウエットティッシュ詰替治具を一体又は別体として備えた構成としてある。
【００２５】
上記構成によれば、ウエットティッシュ容器に本詰替治具を付属させることで、詰替用ウエットティッシュを補充する際に、本詰替治具を用意する手間が省け、詰替作業を容易かつ迅速に行うことが可能となる。また、ウエットティッシュ容器の一部に本詰替治具を一体化した場合は、本詰替治具の管理が一切不要となり、本詰替治具を紛失するおそれもない。
【００２６】
好ましくは、上述した本発明のウエットティッシュ容器において、前記取出口に着脱可能な合成樹脂からなる開閉蓋を備え、前記開閉蓋に前記ウエットティッシュ詰替治具を一体的に設けた構成とする。
【００２７】
上記構成によれば、ウエットティッシュの取出口を塞ぐ開閉蓋に、本詰替治具の機能を追加することができ、極めて簡単な構成で本詰替治具をウエットティッシュ容器に付属させることが可能となる。通常時には、開閉蓋を取出口に装着して、ウエットティッシュの乾燥を防止し、ウエットティッシュの詰替時には、開閉蓋を取出口から分離して、詰替用ウエットティッシュの末端を取出口に押し込むために本詰替治具を用いる。また、詰替用ウエットティッシュの末端を取出口に押し込む作業は、そもそも開閉蓋を開けて行うものであり、詰替作業の間、開閉蓋を取出口から分離して本詰替治具として用いたとしても、ウエットティッシュの乾燥は全く問題とならない。
【００２８】
好ましくは、上述した本発明のウエットティッシュ容器において、前記ウエットティッシュ容器が、容器蓋と容器本体とを備え、前記開閉蓋が、接合部を介して前記容器蓋又は容器本体に接続され、前記接合部が、前記開閉蓋を前記容器蓋又は容器本体から分離可能に保持し、前記開閉蓋を前記取出口から分離させた状態で、前記ウエットティッシュ詰替治具を使用する構成とする。より好ましくは、前記接合部を、前記開閉蓋を前記容器蓋又は容器本体に繋ぐベルトとする。
【００２９】
上記構成によれば、開閉蓋を前記容器蓋又は容器本体から分離可能に保持する接合部によって、該開閉蓋とウエットティッシュ容器とを接続したことにより、開閉蓋に一体的に設けた本詰替治具の取り扱いが極めて容易となる。すなわち、詰替用ウエットティッシュを補充するときに本詰替治具を用意したり、詰替作業の終了後に本詰替治具を管理したりする手間がなくなり、紛失のおそれも一切ない。また、接合部をベルトとした場合は、詰替用ウエットティッシュを補充するときに、開閉蓋を自由に取り回すことができるので、詰替作業をスムーズに行うことができる。
【００３０】
具体的には、上述した本発明のウエットティッシュ容器において、前記開閉蓋の側部に、柔軟な板状体の前記ウエットティッシュ詰替治具を一体的に連成した構成、又は前記開閉蓋の上面に、柔軟な棒状体又は錐体状の前記ウエットティッシュ詰替治具を一体的に突設した構成とする。
【００３１】
上記構成によれば、開閉蓋が本詰替治具の把手の役割を果たし、本詰替治具を必要最低限の大きさにした場合でも持ちやすく、詰替用ウエットティッシュの末端を取出口に容易に押し込むことが可能である。また、開閉蓋の側部に一体化した板状体の本詰替治具、及び開閉蓋の上面に一体化した棒状体の本詰替治具は、いずれも開閉蓋を開いた状態にするときの把手となるので、ウエットティッシュを使用するときに、開閉蓋を極めて容易に開くことができる。
【００３２】
好ましくは、上述した本発明のウエットティッシュ容器において、前記ウエットティッシュ容器が、容器蓋と容器本体とを備え、前記容器蓋の裏側における前記取出口の近傍に、接合部を介して前記ウエットティッシュ詰替治具を接続した構成とする。
【００３３】
上記構成によれば、ウエットティッシュ容器にウエットティッシュ詰替治具を内蔵させることができ、ウエットティッシュ容器の外観デザインに影響を与えることなく、ウエットティッシュ詰替治具を設けることが可能となる。また、ウエットティッシュ詰替治具を、容器蓋の裏側における前記取出口の近傍に設けた場合は、上述した開閉蓋に設けた場合のようなウエットティッシュ詰替治具の取り回しが不要となるので、ベルト等の接続部を短くすることができる。
【００３４】
好ましくは、上述した本発明のウエットティッシュ容器において、前記ウエットティシュ容器が、前記容器蓋に着脱可能な口ゴムを備え、前記口ゴムに、前記取出口を形成するとともに、前記接合部を介して前記ウエットティッシュ詰替治具を接続した構成とする。
【００３５】
上記構成によれば、ウエットティッシュ詰替治具付きの本口ゴムを適用することによって、大きな設計変更を行うことなく、既存のウエットティッシュ容器にウエットティッシュ詰替治具を設けることができる。
【００３６】
好ましくは、上述した本発明のウエットティッシュ容器において、前記接合部が合成樹脂からなるベルトであり、前記ベルトの一端側を、前記容器蓋の裏側における前記取出口の近傍又は前記口ゴムに接続するとともに、前記ベルトの一面に、前記ウエットティッシュ詰替治具を突設した構成とする。より好ましくは、前記取出口に対向させることができる前記ベルトの一面に前記ウエットティッシュ詰替治具を突設し、前記ベルトの前記口ゴムとの接続部を中心に前記ウエットティッシュ詰替治具を回動させて、当該ウエットティッシュ詰替治具を前記取出口に挿通可能とした構成とする。
【００３７】
上記構成によれば、ベルトがヒンジの役割を果たし、当該ベルトの口ゴムとの接続部を中心にウエットティッシュ詰替治具を回動させて、ウエットティッシュ詰替治具を、口ゴムの取出口に簡単に挿通させることができる。これにより、お年寄りや細かい作業が苦手な人が、ウエットティッシュ詰替治具や取出口を目視で確認することなく、手探りで容易に詰替用ウエットティッシュの末端を取出口に押し込むことが可能となる。
【００３８】
好ましくは、上述した本発明のウエットティッシュ容器において、前記ベルトの前記ウエットティッシュ詰替治具よりも他端側に、前記ベルトの余剰部分を設け、当該余剰部分を、前記ウエットティッシュ詰替治具を前記取出口に挿通させるときのつまみ部とした構成とする。
【００３９】
上記構成によれば、ベルトの余剰部分をつまんで、ウエットティッシュ詰替治具を回動させるだけで、口ゴムの取出口にウエットティッシュ詰替治具をより簡単に挿抜することができるようになる。これにより、詰替用ウエットティッシュの末端を取出口に容易に押し込むことが可能となる。
【００４０】
好ましくは、上述した本発明のウエットティッシュ容器において、前記取出口を、中心から約１２０°間隔で放射状に延びる３本のスリットからなる略Ｙ字形とした構成とする。
【００４１】
上記構成によれば、取出口を３本のスリットからなる略Ｙ字形としたことにより、取出口によるウエットティッシュの保持力を最適にすることができる。これにより、取出口からウエットティシュを引き出すと、次のウエットティッシュの末端が、取出口から適度な長さで引き出された状態となる。
【００４２】
すなわち、取出口を形成するスリットは、その間にウエットティッシュを挟み込んで保持力を発揮する。取出口の保持力はスリットの数及び長さに比例する。スリットの数を多くすれば取出口の保持力は大きくなり、スリットの数を少なくすれば取出口の保持力は小さくなる。但し、スリットの数を多くするほど製造精度が出にくくなり、歩溜まりが悪くなる。一方、スリットを長くすれば取出口の保持力は大きくなり、スリットを短くすれば取出口の保持力は小さくなる。但し、スリットを短くするほど取出口が広がりにくくなり、ウエットティッシュを引き出すための力を要することになる。
【００４３】
本発明者らが鋭意検討した結果、取出口を３本のスリットからなる略Ｙ字形とすることにより、一般的な目付け（１ｍ2当たり約２０〜８０ｇ）のウエットティッシュを適度な力で取出口から引き出すことができるとともに、次のウエットティッシュの末端を、取出口から適度な長さ（約１０〜４０ｍｍ）で引き出された状態にすることが可能となる。
【００４４】
好ましくは、上述した本発明のウエットティッシュ容器において、前記取出口の中心に、各スリットの一端に連通する孔を穿設した構成とし、より好ましくは、前記取出口の各スリットの長さを約１〜５ｍｍとし、前記孔の直径を約１〜５ｍｍとした構成とする。
【００４５】
上記構成によれば、取出口の中心に穿設した孔を介して、ウエットティッシュの末端を取出口に通し易くなる。また、ウエットティッシュの末端の裾の部分が、略Ｙ字形のスリットを通過するときに適度な保持力を生じる。これにより、詰替用ウエットティッシュの末端を取出口に容易に押し込むことができ、その後、取出口からウエットティシュを容易に引き出すことができるとともに、次のウエットティッシュの末端を、取出口から適度な長さで引き出された状態にすることができる。
【発明の効果】
【００４６】
本発明のウエットティッシュ詰替治具及びウエットティッシュ容器によれば、ウエットティッシュの取出口を痛めることなく、極めて安全、容易かつ衛生的にウエットティッシュの詰替作業を行うことができる。
【００４７】
また、本発明の略Ｙ字形の取出口を備えた口ゴム、及びこの口ゴムを備えたウエットティッシュ容器によれば、ウエットティッシュの最適な保持力を発揮することができ、ウエットティッシュをより引き出しやすくすることが可能となる。
【図面の簡単な説明】
【００４８】
【図１】本発明の実施形態に係るウエットティッシュ詰替治具を備えたウエットティッシュ容器を示す斜視図である。
【図２】開閉蓋を開いた状態の上記ウエットティッシュ容器を示す斜視図である。
【図３】上記ウエットティッシュ容器を示す平面図である。
【図４】開閉蓋を開いた状態の上記ウエットティッシュ容器を示す平面図である。
【図５】同図（ａ）は上記ウエットティッシュ詰替治具の使用状態を示す容器蓋の裏面図、同図（ｂ）は押込部周辺の状態を示す拡大図である。
【図６】同図（ａ）〜（ｈ）は本発明に係るウエットティッシュ詰替治具の各種実施形態を示す斜視図である。
【図７】同図（ａ）〜（ｃ）は、本ウエットティッシュ詰替治具をウエットティッシュ容器の開閉蓋に設ける場合の各種実施形態を示す斜視図である。
【図８】本ウエットティッシュ詰替治具を容器蓋の裏側に設けた実施形態を示す部分断面図である。
【図９】同図（ａ）〜（ｄ）は本ウエットティッシュ容器の取出口の各種実施形態を示す平面図である。
【図１０】本発明の第２実施形態に係るウエットティッシュ詰替治具を備えた口ゴムを示すものであり、同図（ａ）は平面図、同図（ｂ）は裏面図、同図（ｃ）は同図（ｂ）の部分拡大図である。
【図１１】上記口ゴムを備えたウエットティッシュ容器の容器蓋を示すものであり、同図（ａ）は上記ウエットティッシュ詰替治具の収納状態を示す断面図、同図（ｂ）は上記ウエットティッシュ詰替治具の使用状態を示す断面図である。
【発明を実施するための形態】
【００４９】
以下、本発明のウエットティッシュ詰替治具及びウエットティッシュ容器の実施形態について、図面を参照しつつ説明する。
【００５０】
［ウエットティッシュ容器の全体構成］
本実施形態のウエットティッシュ詰替治具は、ウエットティッシュ容器の開閉蓋に一体的に設けた構成となっている。そこで、ウエットティッシュ詰替治具を含むウエットティッシュ容器の全体構成について、図１〜図４を参照しつつ説明する。
【００５１】
＜容器蓋・容器本体＞
図１において、本実施形態のウエットティッシュ容器１は、ポリエチレン、ポリプロピレン等の合成樹脂からなる容器蓋１０及び容器本体２０からなっている。容器本体２０の内部には、分離可能な複数枚のウエットティッシュがロール状に収納されている（図示せず）。
【００５２】
＜口ゴム＞
図２及び図４に示すように、容器蓋１０の中央には、ウエットティッシュの取出口を備えた口ゴム１５が取り付けてある。口ゴム１５の材料として、例えば、柔軟性に富み、繰り返しの使用によっても破損・劣化しないシリコーンゴムを用いている。この口ゴム１５の中心には、ウエットティッシュの取出口として、直径約１〜５ｍｍ程度の微小孔１５ａが穿設してあり、この微小孔１５ａを通過してウエットティッシュが一枚ずつ引き出される。微小孔１５ａは、ウエットティッシュが通過する過程で押し広げられ、通過するウエットティッシュに対して締付力を及ぼし、ウエットティッシュに含まれる余分な水分を容器内へ除去するとともに、引き出されたウエットティッシュを次のウエットティッシュから分離させる。すると、微小孔１５ａには、次のウエットティッシュの末端が引き出された状態で挟持される。
＜開閉蓋＞
【００５３】
口ゴム１５に挟持された次のウエットティッシュの末端が乾燥しないように、口ゴム１５の周囲は嵌合筒１０ａによって包囲されている。そして、嵌合筒１０ａは、柔軟な薄板状の開閉蓋１１によって密閉される（図１及び図３参照）。開閉蓋１１の裏面には、嵌合筒１０ａの外径に一致する内径の嵌合枠１１ａが設けてあり、開閉蓋１１を閉めたときに嵌合枠１１ａが嵌合筒１０ａに嵌合し、口ゴム１５及び微小孔１５ａにセットされたウエットティッシュの末端を嵌合筒１０ａ内に密閉する。これにより、次のウエットティッシュや容器本体２０内の水分の蒸発が防止される。
【００５４】
［ウエットティッシュ詰替治具］
本実施形態では、開閉蓋１１の側部に、ウエットティッシュ詰替治具２を一体的に連成した構成としてある。図１〜４に示すように、ウエットティッシュ詰替治具２は、開閉蓋１１と同じ材料、同じ厚さの柔軟な板状体であり、平面視したときの全体の輪郭が穏やかな曲線状になっている。ウエットティッシュ詰替治具２は、開閉蓋１１の円周から９０°の方向に突出しており、その先端部が、口ゴム１５の微小孔１５ａに挿通可能な押込部２ａとなっている。本実施形態では、押込部２ａの形状を比較的小さなアールの曲面状としてあり、口ゴム１５の微小孔１５ａに挿通させたとき、口ゴム１５を傷つけることなく、微小孔１５ａを押し広げることができるようにしている（図５（ｂ）参照）。
【００５５】
ここで、本実施形態では、開閉蓋１１を、比較的長尺の軟質なベルト１２によって容器蓋１０に接続してある。ベルト１２は、開閉蓋１１を容器蓋１０の裏側に取り回すことができ、ウエットティッシュ詰替治具２の押込部２ａを、口ゴム１５の微小孔１５ａに挿通させることができる長さとする。また、容器蓋１０には、ベルト１２の形状に対応する浅いベルト収容部１４が設けてあり、開閉蓋１１を閉じたときに、ベルト１２がベルト収容部１４に収まり、ベルト１２と容器蓋１０との表面が互いに面一になるようにしてある。
【００５６】
開閉蓋１１と容器蓋１０とをベルト１２で接続したことにより、ウエットティッシュ詰替治具２の取り扱いが極めて容易となる。すなわち、詰替用ウエットティッシュを補充するときに、あらかじめウエットティッシュ詰替治具２を用意したり、詰替作業の終了後にウエットティッシュ詰替治具２を管理したりする手間が省け、紛失のおそれも一切なくなる。
【００５７】
さらに、本実施形態では、容器蓋１０における嵌合筒１０ａの周囲に凹部１３を形成した構成としてある。この凹部１３は、閉じた開閉蓋１１の裏側に指を進入させるためのものであり、開閉蓋１１を容易に開くことができるようになる。特に、ウエットティッシュ詰替治具２は開閉蓋１１の側方に突出しており、指を引っ掛けるのに十分な面積を有している。凹部１３を介して、ウエットティッシュ詰替治具２の裏側に指を進入させ、ウエットティッシュ詰替治具２を把手代わりに持ち上げることで、嵌合枠１１ａと嵌合筒１０ａとの嵌合を簡単に解除させて、開閉蓋１１を容易に開くことができる。また、ウエットティッシュ詰替治具２の押込部２ａが穏やかな曲線状となっているので、指を掛けやすく、子供やお年寄りでも極めて容易に開閉蓋１１を開くことが可能である。
【００５８】
［ウエットティッシュ詰替治具の使用方法］
次に、上述したウエットティッシュ詰替治具の使用方法について、図５（ａ）及び（ｂ）を参照しつつ説明する。
【００５９】
ウエットティッシュ容器１に図示しない詰替用ウエットティッシュを補充する場合は、まず、図１に示す容器本体２０から容器蓋１０を取り外す。そして、ロール状の詰替用ウエットティッシュを容器本体２０内に収納するとともに、ロール状の中心からウエットティッシュの末端（最初の一枚）を引き出す。
【００６０】
次いで、容器本体２０から取り外した容器蓋１０の開閉蓋１１を開けた状態にし、図５（ａ）に示すように、容器蓋１０の裏側から、口ゴム１５の微小孔１５ａにウエットティッシュＷの末端を重ね合わせる。そして、開閉蓋１１を容器蓋１０の裏側に取り回し、ウエットティッシュＷの末端を介在させた状態で、ウエットティッシュ詰替治具２の押込部２ａを口ゴム１５の微小孔１５ａに挿入する。すると、図５（ｂ）に示すように、押込部２ａが微小孔１５ａを押し広げつつ、ウエットティッシュＷの末端を微小孔１５ａに押し込む。これにより、ウエットティッシュＷの末端が口ゴム１５の微小孔１５ａに挟持される。必要に応じて、容器蓋１０の表側から、ウエットティッシュＷの末端を引き出し、指で把持し易い長さの引出量に調整してもよい。その後、容器蓋１０を容器本体２０に装着し、開閉蓋１１を閉じた状態にすれば、詰替用ウエットティッシュの補充は完了する。
【００６１】
［作用効果］
上述した本実施形態のウエットティッシュ詰替治具２を備えたウエットティッシュ容器１によれば、ウエットティッシュの取出口を設けた口ゴム１５を痛めることなく、子供やお年寄りであっても極めて安全、容易かつ衛生的にウエットティッシュの詰替作業を行うことができる。
【００６２】
すなわち、ウエットティッシュ詰替治具２の材料を軟質な合成樹脂としたことにより、押込部２ａが口ゴム１５の微小孔１５ａに挿通可能な細さ又は薄さであったとしても、該押込部２ａが撓んで手を怪我する心配はない。ウエットティッシュ詰替治具２を用いて、詰替用ウエットティッシュの末端をスムーズに押し込むことができ、極めて安全、容易かつ衛生的に詰替作業を行うことが可能となる。
【００６３】
また、穏やかな曲線状の押込部２ａが、口ゴム１５の微小孔１５ａを押し広げつつ、詰替用ウエットティッシュの末端を微小孔１５ａに押し込むので、口ゴム１５を痛めることなく、詰替用ウエットティッシュの末端を微小孔１５ａにスムーズに押し込むことが可能となる。この結果、微小孔１５ａを可能な限り小さくすることができ、引き出したウエットティッシュの分離及び水切りを良好にすることが可能となる。
【００６４】
さらに、ウエットティッシュ詰替治具２をウエットティッシュ容器１に付属させることで、詰替用ウエットティッシュを補充する際に、ウエットティッシュ詰替治具２を用意する手間が省け、詰替作業を容易かつ迅速に行うことが可能となる。また、ウエットティッシュ容器１の開閉蓋１１にウエットティッシュ詰替治具２を一体化したことにより、ウエットティッシュ詰替治具２の管理が一切不要となり、ウエットティッシュ詰替治具２を紛失するおそれもない。これに加え、本実施形態のウエットティッシュ詰替治具２は、開閉蓋１１を開ける際の把手の役割を果たし、ウエットティッシュ詰替治具２に指を掛けて開閉蓋１１を容易に開けることが可能となる。
【００６５】
［他の実施形態］
次に、本発明のウエットティッシュ詰替治具及びウエットティッシュ容器の他の実施形態について、図６〜９を参照しつつ説明する。
【００６６】
＜ウエットティッシュ詰替治具の他の実施形態＞
図６（ａ）〜（ｈ）は本発明に係るウエットティッシュ詰替治具の各種実施形態を示す斜視図である。以下、同図（ａ）〜（ｈ）のウエットティッシュ詰替治具３１〜３８について順に説明する。
【００６７】
図６（ａ）のウエットティッシュ詰替治具３１は、上述した実施形態のウエットティッシュ詰替治具２と同様に治具全体が板状体からなり、末広がり基部の先端に小さな円板状の押込部３１ａを連成した構成となっている。このようなウエットティッシュ詰替治具３１によれば、例えば、ウエットティッシュの取出口を口ゴムに設けた場合（例えば、図９（ａ）及び（ｂ）参照）には、小さな円板状の押込部３１ａを、取出口としての微小孔ないし小孔に押し込んで、詰替用ウエットティシュの末端を簡単に通過させることができる。その後、末広がりの基部を微小孔ないし小孔に押し込んで、詰替用ウエットティシュの末端の引出量を適度に調整することができる。
【００６８】
一方、ウエットティッシュの取出口が、容器蓋の合成樹脂に直接又は間接的に設けられた小孔とスリットの組合せの場合（例えば、図９（ｃ）及び（ｄ）参照）にも、上記と同様に、小さな円板状の押込部３１ａをスリットに入り込ませて、詰替用ウエットティシュの末端を簡単に通過させることができる。
【００６９】
このようなウエットティッシュ詰替治具３１は、全体が柔軟な合成樹脂からなっており、先端が円板状となっているので、押し込む力加減を誤って手に触れたとしても、手に怪我をする心配は一切なく、口ゴムや取出口を痛めることもない。
【００７０】
図６（ｂ）のウエットティッシュ詰替治具３２は、治具全体が錐体状となっており、その先端に略球面状の押込部３２ａを設けた構成となっている。このようなウエットティッシュ詰替治具３２は、まず、略球面状の押込部３２ａを、取出口（口ゴムに設けた場合を含む。以下同じ）に押し込んで通過させる。そのまま治具全体をさらに押し込むと、錐体状の外形に沿って取出口が押し広げられる。押込部３２ａを略球面状としているので、押し込む力加減を誤って手に触れたとしても、手に怪我をする心配は一切なく、口ゴムや取出口を痛めることもない。
【００７１】
図６（ｃ）のウエットティッシュ詰替治具３３は、治具全体が棒状体となっており、その先端に略テーパー面状の押込部３３ａを設けた構成となっている。押込部３３ａを取出口に押し込むと、略テーパー面状の外形に沿って取出口が押し広げられる。押込部３３ａを略テーパー面状としているので、押し込む力加減を誤って手に触れたとしても、手に怪我をする心配は一切なく、口ゴムや取出口を痛めることもない。
【００７２】
図６（ｄ）のウエットティッシュ詰替治具３４は、治具全体が細い棒状体となっており、先端の押込部３４ａが鋭利な錐体状となっている。治具全体が柔軟な合成樹脂からなっているので、押込部３４ａが鋭利なほど柔軟になり、押し込む力加減を誤って手に触れたとしても、手に怪我をする心配は一切なく、口ゴムや取出口を痛めることもない。また、押込部３４ａが鋭利なので、その先端を取出口に導入しやすい。
【００７３】
図６（ｅ）のウエットティッシュ詰替治具３５は、治具全体が断面十文字形の棒状体となっている。先端の押込部３５ａも断面十文字形となっているので、十文字のスリットを設けた取出口（図９（ｃ）参照）に適合する。上記と同様に、治具全体が柔軟な合成樹脂からなっているので、口ゴムや取出口を痛めることがなく、怪我の心配もない。
【００７４】
図６（ｆ）のウエットティッシュ詰替治具３６は、治具全体が断面一文字形の板状体となっている。先端の押込部３６ａも断面一文字形となっているので、一文字のスリットを設けた取出口（図９（ｄ）参照）に適合する。上記と同様に、治具全体が柔軟な合成樹脂からなっているので、口ゴムや取出口を痛めることがなく、怪我の心配もない。
【００７５】
図６（ｇ）のウエットティッシュ詰替治具３７は、治具全体が板状体となっており、先端の押込部３７ａが鋭利なエッジ状となっている。鋭利なエッジ状の押込部３７ａは取出口に導入しやすく、押し込むことで取出口を容易に押し広げることができる。治具全体が柔軟な合成樹脂からなっているので、口ゴムや取出口を痛めることがなく、怪我の心配もない。
【００７６】
図６（ｈ）のウエットティッシュ詰替治具３８は、治具全体が板状体となっており、その途中に鍔部３８ｂを突出させた構成となっている。好ましくは、鍔部３８ｂの先端側に位置する押込部３８ａを取出口に挿通可能な横幅寸法とし、鍔部３８ｂを、取出口を通過できない突出量としてもよい。鍔部３８ｂを設けた場合は、ウエットティッシュ詰替治具３８を安定して把持することができるようになり、取出口に押し込むときの操作性が向上する。また、取出口に押し込むときの力加減を誤った場合でも、鍔部３８ｂが取出口に当接して挿通量が制限される。
【００７７】
＜ウエットティッシュ容器の他の実施形態＞
次に、本発明のウエットティッシュ詰替治具を備えたウエットティッシュ容器の各種実施形態について、図７（ａ）、（ｂ）、（ｃ）及び図８を参照しつつ説明する。
【００７８】
図７（ａ）に示すように、開閉蓋１１の上面に、柔軟な錐体状のウエットティッシュ詰替治具３２を一体的に突設した構成としてもよい。ウエットティッシュの使用時は、ウエットティッシュ詰替治具３２を把持して開閉蓋１１を簡単に開けることができる。一方、詰替用ウエットティッシュの補充時には、ベルト１２と容器蓋１０との接合部を中心にして、開閉蓋１１を容器蓋１０の裏側に回動させれば、ウエットティッシュ詰替治具３２が取出口に向かって配置され、詰替用ウエットティッシュの末端を取出口に容易に押し込むことができる。
【００７９】
また、図７（ｂ）に示すように、開閉蓋１１の側部正面に板状体のウエットティッシュ詰替治具３７を一体的に連成した構成としてもよい。ウエットティッシュ詰替治具３７が、凹部１３の一番広い箇所の上方に位置するので、ウエットティッシュ詰替治具３７の裏側に指を進入させやすく、開閉蓋１１を簡単に開けることができる。一方、詰替用ウエットティッシュの補充時には、ベルト１２と容器蓋１０との接合部を中心にして、開閉蓋１１を容器蓋１０の裏側に回動させれば、ウエットティッシュ詰替治具３７を容易に取出口に向けることができる。
【００８０】
さらに、図７（ｃ）に示すように、開閉蓋１１の側部に、容器蓋１０の凹部１３の輪郭に適合する外形のウエットティッシュ詰替治具３９を設けてもよい。本実施形態のウエットティッシュ詰替治具３９は、凹部１３の円形の輪郭に一致する円弧状の外形を有し、その先端部に、比較的小さなアールの押込部３９ａを突出させた構成となっている。このようなウエットティッシュ詰替治具３９は、開閉蓋１１や容器蓋１０のデザインにマッチして外観上目立たないので、開閉蓋１１周辺の美観を良好にできる。
【００８１】
これに加え、本発明のウエットティッシュ詰替治具は、開閉蓋１１に設ける構成に限定されない。例えば、図８に示すように、小型のウエットティッシュ詰替治具４０を容器蓋１０の裏側に収納した構成としてもよい。ウエットティッシュ詰替治具４０は、錐体状の先端に略球面状の押込部４０ａを設けるとともに、錐体状の後端を板状体である基部４０ｂに接合した構成となっている。このようなウエットティッシュ詰替治具４０は、ヒンジの役割を果たすベルト４０ｃによって容器蓋１０の裏側に接続してある。また、容器蓋１０の裏側には、基部４０ｂを把持する一対の係合片４０ｄ、４０ｄが突設してあり、ウエットティッシュ詰替治具４０を保持するようになっている。
【００８２】
上記構成からなるウエットティッシュ詰替治具４０によれば、押込部４０ａを把持して基部４０ｂと各係合片４０ｄとの係合を解除した後、ベルト４０ｃをヒンジ代わりにしてウエットティッシュ詰替治具４０を約１８０°回動させる。すると、押込部４０ａが取出口（口ゴム１５）に向かって配置され、詰替用ウエットティッシュの末端を取出口に容易に押し込むことができる。
【００８３】
＜取出口の実施態様＞
本発明のウエットティッシュ詰替治具は、微小孔１５ａを備えたシリコーンゴム製の口ゴム１５以外にも、種々態様の取出口に適用することができる。以下、本詰替治具に好適な口ゴム１５、その他の口ゴムの実施態様について、図９（ａ）〜（ｄ）を参照しつつ説明する。
【００８４】
まず、図９（ａ）は上述したシリコーンゴム製の口ゴム１５を示す平面図である。口ゴム１５の材料は、例えば、伸縮性に優れた柔軟なシリコーンゴムが好ましく、本発明のウエットティッシュ詰替治具を適用する場合は、ウエットティッシュの末端を容易に挿通することができるので、当該末端を引き出すための孔を直径１ｍｍ以下の微小孔１５ａとすることができる。微小孔１５ａの直径を小さくすることで、ウエットティッシュ通過時の口ゴム１５の挟持力が高まり、ウエットティッシュ容器内の密閉性を高めて水分の蒸発を効果的に防止することができ、また、ウエットティッシュを引き出したときに一枚ずつ分離しやくなるとともに、引き出したウエットティッシュを十分に水切りすることができるようになる。さらに、口ゴム１５から容器本体内にウエットティッシュが脱落することもない。
【００８５】
なお、図９（ｂ）に示すように、直径１ｍｍを超える小孔４１を設けた口ゴム４１であっても、本発明のウエットティッシュ詰替治具の詰替作業を効率的に行えるという作用効果は変わらない。
【００８６】
次いで、図９（ｃ）に示す口ゴム４２は、中心の孔４２ａに縦横２本のスリット４２ｂを十文字に直交させた構成となっている。このような口ゴム４２に本発明のウエットティッシュ詰替治具を押し込むと、スリット４２ｂの周辺が可動して孔４２ａが押し広げられるようになっている。
【００８７】
最後に、図９（ｄ）に示す口ゴム４３は、中心の孔４３ａに１本のスリット４３ｂが一文字に横切った構成となっている。スリット４３ｂの一端は口ゴム４３の円周に達しており、口ゴム４３が略Ｖ字形に開くようになっている。このような口ゴム４３を用いた場合は、容器蓋から口ゴム４３を取り外し、口ゴム４３を略Ｖ字形に開かせて詰替用ウエットティッシュの末端を孔４３ａに通すことが可能であるが、本発明のウエットティッシュ詰替治具を用いた場合は、容器蓋から口ゴム４３を取り外さないで、簡単に替用ウエットティッシュの末端を孔４３ａに押し込むことが可能である。
【００８８】
以上、図９（ａ）〜（ｄ）を用いて口ゴム１５、４１〜４３について説明したが、本発明のウエットティッシュ詰替治具は、口ゴムの態様に限らず、微小孔１５ａ、孔４１ａ〜４３ａ、スリット４２ｂのような十文字スリット、スリット４３ｂのような一文字スリットを、容器蓋の合成樹脂に直接形成した場合にも、詰替作業に関連する作用効果は変わらない。
【００８９】
なお、本発明のウエットティッシュ詰替治具及びウエットティッシュ容器は、上述した各実施形態の構成に限定されるものではない。例えば、上記実施形態では、本発明のウエットティッシュ詰替治具を、ウエットティッシュ容器の一部に一体的に備えた構成について説明したが、これに限定されるものではなく、別体のウエットティッシュ詰替治具を、ウエットティッシュ容器の一部に装着し、又はウエットティッシュ容器内に収納する構成としてもよい。
【００９０】
［第２実施形態］
以下、本発明の第２実施形態に係るウエットティッシュ詰替治具を備えた口ゴム、及びこの口ゴムを備えたウエットティッシュ容器の実施形態について、図１０及び図１１を参照しつつ説明する。
【００９１】
＜口ゴムの構成＞
図１０（ａ）及び（ｂ）において、本実施形態に係る口ゴム５０は、全体がシリコーンゴム等の比較的柔軟な合成樹脂からなり、円盤状の本体に略Ｙ字形の取出口５１を形成するとともに、接合部であるベルト５４を介してウエットティッシュ詰替治具５５が一体的に連成してある。
【００９２】
同図（ｃ）に示すように、口ゴム５０の取出口５１は、中心から約１２０°間隔で放射状に延びる３本のスリット５１ａ、５１ｂ及び５１ｃからなる略Ｙ字形となっている。この取出口５１の中心には、各スリット５１ａ〜５１ｃの一端に連通する孔５１ｄが穿設してある。
【００９３】
ここで、取出口５１を３本のスリット５１ａ〜５１ｃからなる略Ｙ字形としたのは、ウエットティッシュの保持力を最適化するためであり、後述する実施例に示すように、取出口５１からウエットティッシュを引き出したときに、次のウエットティッシュの末端が、取出口５１から適度な長さで引き出された状態となる。各スリット５１ａ〜５１ｃの全長Ｌ１はそれぞれ約１〜５ｍｍの範囲が好ましく、孔５１ｄの直径は約１〜５ｍｍの範囲が好ましい。本実施形態では、各スリット５１ａ〜５１ｃの全長Ｌ１をそれぞれ約２ｍｍとし、孔５１ｄの直径を約２．５ｍｍとしてある。
【００９４】
図１０（ｂ）に示すように、口ゴム５０の本体裏面には、中心の孔５１ｄに向かって凹みの深さが大きくなる同心円状の凹部５２、５３が形成してある。図１１（ａ）に示すように、凹部５２は、環状平面となっており、口ゴム５０の本体の肉厚の約半分程度まで凹んでいる。一方、凹部５３は、凹部５２に連成された球面状の凹みであり、取出口５１の裏面の肉厚を除々に薄くしている。
【００９５】
このような凹部５２、５３は、後述する突起状のウエットティッシュ詰替治具５５の先端を孔５１ｄに導く役割を果たし、ウエットティッシュ詰替治具５５を手探りで取出口５１に挿入することを支援する。また、凹部５２、５３は、ウエットティッシュの詰替作業を行う者の指先を取出口５１に導く役割をも果たすので、取出口５１の位置を手探りで容易に確認することもできる。
【００９６】
図１０（ａ）及び（ｂ）に戻り、本実施形態の口ゴム５０には、その円盤状の本体の外周からスリット５１ａの他端に連通する切込み５１ｅが設けてある。この切込み５１ｅは、図１１に示す容器蓋６０から口ゴム５０を取り外したときに開口し、容器蓋６０に口ゴム５０を取り付けたときに閉鎖する（同図（ｃ）を参照）。このような切込み５１ｅを開口させ、そこに詰替用ウエットティッシュの末端を挟み込めば、ウエットティッシュ詰替治具５５を用いないでウエットティッシュの詰替作業を行うことができる。
【００９７】
口ゴム５０の切込み５２の反対側には、本体裏面と面一にベルト５４が連成してある。図１０（ｂ）に示すように、このベルト５４の裏面には、短い棒状のウエットティッシュ詰替治具５５が突設してある。このウエットティッシュ詰替治具５５の先端は、略半球状となっており、ウエットティッシュの詰替作業を行うときに、人の手や取出口５１を痛めないようにしてある。
【００９８】
ここで、図１１（ａ）に示すように、ベルト５４の一端の接続部５４ａからウエットティッシュ詰替治具５５までの長さＬ３は、接続部５４ａから孔５１ｄまでの長さＬ４とほぼ等しくしてある。このような構成により、図１１（ｂ）に示すように、ベルト５４がヒンジの役割を果たし、ベルト５４の接続部５４ａを中心にウエットティッシュ詰替治具５５を回動させて、ウエットティッシュ詰替治具５５を取出口５１に簡単に挿通させることができる。
【００９９】
また、ベルト５４には、ウエットティッシュ詰替治具５５よりも後方へ延びる余剰部分が設けてあり、この余剰部分が、ウエットティッシュ詰替治具５５を取出口５１に挿通させるときのつまみ部５４ｂとなる。
【０１００】
さらに、図１０（ａ）に示すように、ベルト５４の表面におけるウエットティッシュ詰替治具５５に対応する位置には、低い円柱状の突起が突設してあり、この円柱状突起の中心に小さな係止孔５６を穿設した構成となっている。図１１（ａ）に示すように、容器蓋６０の裏面には、ベルト５４の係止孔５６に対応する小さな係止ピン６１ａが突設してあり、係止孔５６に係止ピン６１ａを圧入することで、ウエットティッシュ詰替治具５５を容器蓋６０の裏面に保持することが可能となっている。
【０１０１】
このような口ゴム５０は、図１１（ａ）に示す容器蓋６０の取付部６１内に圧入保持される。取付部６１は、口ゴム５０の本体の外径にほぼ等しい内径の円筒状となっており、ベルト５４を受け入れるための縦溝６１ａが形成してある。
【０１０２】
＜ウエットティッシュ詰替治具の使用方法＞
上述した実施形態と同様に、ウエットティッシュ容器に詰替用ウエットティッシュを補充する場合は、まず、容器本体から容器蓋６０を取り外す。そして、ロール状の詰替用ウエットティッシュを容器本体内に収納するとともに、ロール状の中心からウエットティッシュＷ（図１１（ｂ）を参照）の末端（最初の一枚）を引き出す。そして、引き出したウエットティッシュＷの末端を、口ゴム５０の裏面側に重ね合わせる。
【０１０３】
次いで、図１１（ａ）に示すベルト５４のつまみ部５４ｂをつまんで、係止孔５６と係止ピン６２との係合を解除し、そのまま、ベルト５４の接続部５４ａを中心にウエットティッシュ詰替治具５５を約１８０°回動させ、図１１（ｂ）に示すように、ウエットティッシュ詰替治具５５を、口ゴム５１の裏面側に重ね合わせたウエットティッシュＷの末端とともに、略Ｙ字形の取出口５１の中心に押し込む。これにより、ウエットティッシュＷの末端が、略Ｙ字形の取出口５０に挟持される。必要に応じて、容器蓋６０の表側から、ウエットティッシュＷの末端を引き出し、指で把持し易い長さの引出量に調整してもよい。その後、容器蓋６０を容器本体に装着し、開閉蓋を閉じた状態にすれば、詰替用ウエットティッシュの補充は完了する。
【０１０４】
＜作用効果＞
このような本実施形態のウエットティッシュ詰替治具５５を備えた口ゴム５０、及びこの口ゴム５０を備えたウエットティッシュ容器によれば、ウエットティッシュ容器にウエットティッシュ詰替治具５５を内蔵させることができ、ウエットティッシュ容器の外観デザインに影響を与えることなく、ウエットティッシュ詰替治具５５を設けることが可能となる。また、ウエットティッシュ詰替治具５５を、容器蓋６０の裏側における取出口５１の近傍に設けることができ、上述した開閉蓋１１に設けた場合のようなウエットティッシュ詰替治具２の取り回し（図５（ａ）を参照）が不要となるので、ベルト５４を短くすることができる。
【０１０５】
また、ウエットティッシュ詰替治具５５付きの本口ゴム５０を適用することによって、大きな設計変更を行うことなく、既存のウエットティッシュ容器にウエットティッシュ詰替治具５５を設けることができる。
【０１０６】
さらに、ベルト５４がヒンジの役割を果たし、ベルト５４のつまみ部５４ｂをつまんで、ベルト５４の接続部５４ａを中心にウエットティッシュ詰替治具５５を回動させて、ウエットティッシュ詰替治具５５を、口ゴム５０の取出口５１に簡単に挿通させることができる。これにより、お年寄りや細かい作業が苦手な人が、ウエットティッシュ詰替治具５５や取出口５１を目視で確認することなく、手探りで容易に詰替用ウエットティッシュＷの末端を取出口５１に押し込むことが可能となる。
【０１０７】
これに加え、ウエットティッシュの末端の裾の部分が、略Ｙ字形のスリット５１ａ〜５１ｃを通過するときに適度な保持力を生じる。これにより、詰替用ウエットティッシュＷの末端を取出口５１に容易に押し込むことができ、その後、取出口５１からウエットティシュを容易に引き出すことができる。また、以下の実施例に示すように、次のウエットティッシュの末端を、取出口５１から適度な長さで引き出された状態にすることができる。
【実施例】
【０１０８】
図９（ｄ）に示す一文字形の取出口、同図（ｃ）に示す十文字形の取出口、図１０（ａ）〜（ｃ）に示すＹ字形の取出口を備えた３種類の口ゴムを用い、ウエットティッシュを一枚引き抜いた後、取出口から出た次のウエットティッシュの末端の長さを比較測定した。
【０１０９】
［試験方法］
ロール状に巻かれたウエットティッシュを容器本体内に収納し、ロール中央からウエットティッシュの末端を引き出し、容器蓋の口ゴムにセットする。その後、容器蓋を容器本体に装着し、実際の使用時と同様に、人手で５０枚入りのウエットティッシュを４９枚引き抜く。ウエットティッシュを一枚引き抜く毎に、取出口から出た次のウエットティッシュの末端の長さを測定する。
【０１１０】
［評価方法］
測定値（ｍｍ）を下記表１にしたがって評価し、適合率（％）を算出する。
【表１】
0005804236.tif 000002
【０１１１】
上記表１中、「落ち」とは、次のウエットティッシュが取出口に保持されなかった状態を意味する。また、「つながり」とは、ミシン目が正常であるにもかかわらず、二枚以上のウエットティッシュが繋がって引き出された状態を意味する。
【０１１２】
適合率（％）は、下記式（１）に基づいて算出する。
適合率（％）＝「適合」枚数＋「やや短い」枚数／引き抜き枚数の合計・・・（１）
但し、適合率（％）の算出には、好ましい長さの「適合」の他に、実際の使用において問題とならない「やや短い」を含めることとした。
【０１１３】
［試験結果］
試験結果を下記表２に示す。
【表２】
0005804236.tif 000003
【０１１４】
以上の試験結果より、Ｙ字形＞一文字形＞十文字型の順に適合率（％）が高いことが判明した。したがって、本発明のＹ字形の取出口を有する口ゴムが、ウエットティッシュの最適な保持力を発揮し、実際の使用において、次のウエットティッシュの末端を、取出口から適度な長さで引き出された状態にすることができる。
【符号の説明】
【０１１５】
１  ウエットティッシュ容器
２  ウエットティッシュ詰替治具
２ａ  押込部
１０  容器蓋
１０ａ  嵌合筒
１１  開閉蓋
１１ａ  嵌合枠
１２  ベルト（接合部）
１３  凹部
１４  ベルト収容溝
１５  口ゴム
１５ａ  微小孔（取出口）
２０  容器本体
３１〜４０  ウエットティッシュ詰替治具
３１ａ〜４０ａ  押込部
３８ｂ  鍔部
４０ｂ  基部
４０ｃ  ベルト（接合部）
４０ｄ  係合片
４１〜４３  口ゴム
４１ａ〜４３ａ  孔（取出口）
４２ｂ、４３ｂ  スリット（取出口）
５０  口ゴム
５１  取出口
５１ａ〜５１ｃ  スリット
５１ｄ  孔
５１ｅ  切込み
５２、５３  凹部
５４  ベルト
５４ａ  接続部
５４ｂ  つまみ部
５５  ウエットティッシュ詰替治具
５６  係止孔
６０  容器蓋
６１  取付部
６１ａ  縦溝
６２  係止ピン
【図１】
0005804236.tif 000004
【図２】
0005804236.tif 000005
【図３】
0005804236.tif 000006
【図４】
0005804236.tif 000007
【図５】
0005804236.tif 000008
【図６】
0005804236.tif 000009
【図７】
0005804236.tif 000010
【図８】
0005804236.tif 000011
【図９】
0005804236.tif 000012
【図１０】
0005804236.tif 000013
【図１１】
0005804236.tif 000014